(57)【要約】【課題】  ディスクカートリッジのシェル半体及び／又はロータリーシャッタを成型するディスクカートリッジ用金型において、折曲加工する金属材の傷付きや表面剥がれを抑制する。【解決手段】  金属材８０を押圧して折曲するパンチ型９０と、金属材８０の折曲形状を規定するダイ型１００とを備えたディスクカートリッジ用金型３において、ダイ型１００は、金属材８０が載置される載置面１２０ａと、金属材８０の折曲形状を規定する形状規定面１２０ｂとを有する形状規定部１２０と、形状規定部１２０を支持する形状規定部支持部１３０と、形状規定部支持部１３０に隣接して形成され、パンチ型９０の一部が入り込むパンチ型受け空間部１４０とを設け、形状規定部１２０の形状規定面１２０ｂを、形状規定部支持部１３０のパンチ型受け空間部１４０側の端面１３０ａより突出させる。【選択図】  図４
2006130525.tif 000002
【特許請求の範囲】
【請求項１】
円盤状の記録媒体を回動自在に収容し、ドライブ装置の記録再生ヘッドを前記記録媒体にアクセスさせるためのヘッドアクセス用開口部を有する一対のシェル半体と、前記ヘッドアクセス用開口部を開閉する回動自在なロータリーシャッタとを備えたディスクカートリッジの前記シェル半体及び／又は前記ロータリーシャッタの成型用であり、金属材を押圧して折曲するパンチ型と、前記金属材の折曲形状を規定するダイ型とを備えたディスクカートリッジ用金型において、
前記ダイ型は、
前記金属材が載置される載置面と、前記金属材の折曲形状を規定する形状規定面とを有する形状規定部と、
該形状規定部を支持する形状規定部支持部と、
該形状規定部支持部に隣接して形成され、前記パンチ型の一部が入り込むパンチ型受け空間部とを備え、
前記形状規定部の前記形状規定面が、前記形状規定部支持部の前記パンチ型受け空間部側の端面より突出していることを特徴とするディスクカートリッジ用金型。
【発明の詳細な説明】
【技術分野】
【０００１】
本発明は、携帯電子機器等の記録再生に使用されるディスクカートリッジのシェル半体及び／又はロータリーシャッタを成型する、ディスクカートリッジ用金型に関する。
【背景技術】
【０００２】
デジタルカメラ等の携帯電子機器に使用される小型の記録再生カートリッジとして、円盤状の記録媒体を回動自在に収容し、ドライブ装置の記録再生ヘッドを記録媒体にアクセスさせるためのヘッドアクセス用開口部を有する一対のシェル半体を主とするハウジングと、ヘッドアクセス用開口部を開閉する回動自在な一対のロータリーシャッタとを備えたディスクカートリッジが開示されている（特許文献１等）。かかるディスクカートリッジは、例えば、「ｃｌｉｋ！（登録商標）」等の名称で市販されている。
【０００３】
上記のディスクカートリッジにおいては、シェル半体とロータリーシャッタは略円盤状から略扇形状を切欠した形状を呈し、周端部の少なくとも一部が折曲され、対をなすシェル半体、及び対をなすロータリーシャッタは、それぞれ、折曲された周端部同士が互いに係合する構成となっている。
【０００４】
従来、シェル半体とロータリーシャッタの折曲加工は、図５に示す、金属材２１０の被折曲部２１０ａを押圧して折曲するパンチ型２２１と、金属材２１０の折曲形状を規定するダイ型２２２とを備えたプレス金型２２０を用いて、実施されている。図５は金属材の厚み方向断面図であり、（ａ）は折曲中の状態、（ｂ）は折曲終了状態を示す図である。
【０００５】
ダイ型２２２は、金属材２１０が載置される載置面２２２ａと、金属材２１０の折曲形状を規定する形状規定面２２２ｂと、パンチ型２２１の一部が入り込むパンチ型受け空間部２２２ｃとを有する型である。パンチ型２２１は、ダイ型２２２の載置面２２２ａと形状規定面２２２ｂとに沿った形状を呈する型である。図５（ａ）、（ｂ）に示す如く、金属材２１０の被折曲部２１０ａはパンチ型２２１により押圧され、ダイ型２２２の形状規定面２２２ｂに当接するまで折曲され、折曲部２１０ｂとなる。
【特許文献１】特開２００４−１７８６４２号公報
【発明の開示】
【発明が解決しようとする課題】
【０００６】
上記従来の金型においては、パンチ型の先端角部（２２１ａ）が、金属材の表面を擦りながら降下する。そのため、金属材の表面に傷付きや剥がれが発生し、美観や性能が損なわれる恐れがある。特に、コーティング処理や酸化処理（例えばアルマイト処理）等の表面処理が施された金属材では、表面処理層に傷付きや剥がれが生じやすい傾向にある。また、金属材の表面が一部削られて削粉が発生する恐れがあり、この削粉がディスクカートリッジ内に混入して記録再生等に影響を及ぼす恐れもある。削粉の除去工程を設ければよいが、手間やコストがかかり、好ましくない。
【０００７】
本発明はかかる事情に鑑みてなされたものであり、シェル半体及び／又はロータリーシャッタを成型するディスクカートリッジ用金型において、折曲加工する金属材の傷付きや表面剥がれを抑制する構造を提供することを目的とするものである。
【課題を解決するための手段】
【０００８】
本発明のディスクカートリッジ用金型は、円盤状の記録媒体を回動自在に収容し、ドライブ装置の記録再生ヘッドを前記記録媒体にアクセスさせるためのヘッドアクセス用開口部を有する一対のシェル半体と、前記ヘッドアクセス用開口部を開閉する回動自在なロータリーシャッタとを備えたディスクカートリッジの前記シェル半体及び／又は前記ロータリーシャッタの成型用であり、金属材を押圧して折曲するパンチ型と、前記金属材の折曲形状を規定するダイ型とを備えたディスクカートリッジ用金型において、
前記ダイ型は、前記金属材が載置される載置面と、前記金属材の折曲形状を規定する形状規定面とを有する形状規定部と、該形状規定部を支持する形状規定部支持部と、該形状規定部支持部に隣接して形成され、前記パンチ型の一部が入り込むパンチ型受け空間部とを備え、前記形状規定部の前記形状規定面が、前記形状規定部支持部の前記パンチ型受け空間部側の端面より突出していることを特徴とする。
【０００９】
なお、本明細書で言う「金属材」には、コーティング処理や酸化処理（例えばアルマイト処理）等の表面処理が施された金属材も含まれるものとする。
【発明の効果】
【００１０】
本発明のディスクカートリッジ用金型では、ダイ型に、金属材が載置される載置面と金属材の折曲形状を規定する形状規定面とを有する形状規定部を支持する形状規定部支持部を設け、この形状規定部支持部に隣接してパンチ型受け空間部を設ける構成としている。さらに、形状規定部の形状規定面を、形状規定部支持部のパンチ型受け空間部側の端面より突出させる構成としている。かかる構成の金型では、形状規定部支持部のパンチ型受け空間部側の端面が形状規定面より奥まっているので、折曲後の金属材と形状規定部支持部の端面との間には空隙が存在する。したがって、パンチ型により金属材が過度に押圧された際には、金属材の先端部がこの空隙内に退避することができ、金属材にかかる応力が緩和され、折曲加工する金属材の傷付きや表面剥がれを抑制することができる。
【発明を実施するための最良の形態】
【００１１】
本発明はディスクカートリッジ用金型に関するものであるが、金型の説明に先立ち、ディスクカートリッジの一例について説明する。ここでは、磁気記録媒体を用いる磁気ディスクカートリッジを挙げて説明する。図１はディスクカートリッジの分解斜視図である。図２（ａ）〜（ｃ）は各々、ロータリーシャッタが閉状態にある上面図、右側面図、及び底面図である。図３は下側ロータリーシャッタ／ばね部材／フレームの拡大平面図である。
【００１２】
（ディスクカートリッジ）
図示する磁気ディスクカートリッジ１は、ドライブ装置に挿入された状態で、デジタルカメラ等の電子機器に搭載され、記録再生が行われるもので、概略、円盤状の磁気記録媒体（磁気ディスク）５０が、ハウジング２に収容されてなる。磁気記録媒体５０の中心開口部には、ドライブ装置に挿入された際に磁気吸着されるセンタコア（いわゆるハブ）５１が取り付けられている。このセンタコア５１は、後記する下側シェル半体１２／下側ロータリーシャッタ３２／下側ライナ４２の中心開口部に嵌入されている。ドライブ装置の構成例としては、「背景技術」の項で挙げた特許文献１に記載のものが挙げられる。
【００１３】
ハウジング２は、互いに対向配置され、磁気記録媒体５０を回動自在に収容する、平面視略同一形状の金属製の上側シェル半体１１及び下側シェル半体１２と、これら一対のシェル半体１１、１２を支持する樹脂製のフレーム２０とを有してなる。
【００１４】
シェル半体１１、１２は略円盤状から略扇形状を切欠した形状を呈するもので、略扇形状の開口部が、ドライブ装置の磁気ヘッド（記録再生ヘッド）を磁気記録媒体５０にアクセスさせるためのヘッドアクセス用開口部１１ｈ、１２ｈとなっている。シェル半体１１、１２の周端部には各々、磁気記録媒体５０側に折曲された、互いに係合する折曲部１１ｗ、１２ｗが設けられている。
【００１５】
図２（ａ）に示す如く、シェル半体１１、１２の左側面側には、ドライブ装置の係合部材に係合して、ドライブ装置内でのディスクカートリッジ１の位置を決めるノッチ１３が形成されている。また、図２（ｂ）に示す如く、シェル半体１１、１２の右側面側には、後記ロータリーシャッタ３１、３２を閉位置にロックするためのシャッタロック部材７０（図１参照）を外部に臨ませる小窓１４が形成されている。
【００１６】
図３に示す如く、フレーム２０は、一対のシェル半体１１、１２の間でかつ磁気記録媒体５０の側方に嵌め込まれており、磁気記録媒体５０と反対側の端部が、磁気ディスクカートリッジ１をドライブ装置に挿入する際の押込み部２１となっている。フレーム２０には、後記ばね部材６０の一端が係止されるばね係止部２２が設けられている。
【００１７】
図１、図２に示す如く、磁気ディスクカートリッジ１には、シェル半体１１、１２のヘッドアクセス用開口部１１ｈ、１２ｈを開閉する、金属製の上側ロータリーシャッタ３１及び下側ロータリーシャッタ３２が備えられている。ロータリーシャッタ３１、３２は、シェル半体１１、１２と同様の形状を呈し、同様のヘッドアクセス用開口部３１ｈ、３２ｈを有する。ロータリーシャッタ３１、３２の周端部には各々、磁気記録媒体５０側に折曲され、互いに係合する折曲部３１ｗ、３２ｗが設けられている。折曲部３１ｗ、３２ｗは、折り曲げ加工により形成されており、ロータリーシャッタ３１、３２は、磁気記録媒体５０とシェル半体１１、１２との間に回動自在に介挿されている。下側シェル半体１２には円弧状溝１２ａが形成され、下側ロータリーシャッタ３２には、円弧状溝１２ａから突出しかつこの円弧状溝１２ａに沿って移動しロータリーシャッタ３１、３２を回動するシャッタノブ３２ａが固設されている。
【００１８】
図３に示す如く、ロータリーシャッタ３１、３２は、ばね部材６０により、ドライブ装置への非挿入時に閉方向（反時計回り方向）に付勢されるよう構成されている。下側ロータリーシャッタ３２の外周にはばね係止部３３が突設されており、ばね部材６０は両端が各々、このばね係止部３３とフレーム２０に設けられた前記ばね係止部２２に係止され、ロータリーシャッタ３１、３２の回動に伴って伸縮する。
【００１９】
図１に示す如く、ロータリーシャッタ３１、３２の内面には各々、磁気記録媒体５０の表面を浄化するライナ４１、４２が貼付されている。
【００２０】
磁気ディスクカートリッジ１は以上のように構成されている。
【００２１】
（ディスクカートリッジ金型）
次に、図４に基づいて、本発明に係る一実施形態のディスクカートリッジ用金型の構造、及びこれを用いた成型方法について説明する。図４は金属材の厚み方向断面図であり、（ａ）は折曲中の状態、（ｂ）は折曲終了状態を示す図である。
【００２２】
本実施形態のディスクカートリッジ用金型３は、上記のディスクカートリッジ１のシェル半体１１、１２及び／又はロータリーシャッタ３１、３２を成型するもので、略円盤状から略扇形状を切欠した形状の板状の金属材８０の周端部を折曲して、折曲部１１ｗ、１２ｗあるいは折曲部３１ｗ、３２ｗを形成するものである。
【００２３】
ここでは、折曲される前の金属材８０の被折曲部に符号８０ａ、被折曲部が折曲されて形成される折曲部に符号８０ｂを付して説明する。折曲部８０ｂは、シェル半体１１、１２の折曲部１１ｗ、１２ｗあるいはロータリーシャッタ３１、３２の折曲部３１ｗ、３２ｗに相当する。
【００２４】
本実施形態のディスクカートリッジ用金型３は、従来と同様、金属材８０の被折曲部８０ａを押圧して折曲するパンチ型９０と、金属材８０の折曲形状を規定するダイ型１００とから構成されるが、ダイ型１００の構造が従来と大きく異なっている。
【００２５】
パンチ型９０は、ダイ型１００の後記載置面１２０ａに沿った形状のパンチ型ベース部９１と、このパンチ型ベース部９１に、ダイ型１００の後記形状規定面１２０ｂに沿った形状で突設された、金属材８０を押圧するパンチ部９２とから構成されている。
【００２６】
ダイ型１００は、ダイ型ベース部１１０とその上に設けられた板状の形状規定部１２０とから概略構成されている。形状規定部１２０は、金属材８０が載置される載置面１２０ａと、金属材８０の折曲形状を規定する形状規定面１２０ｂとを有している。形状規定面１２０ｂは形状規定部１２０の側面をなし、載置面１２０ａに連続して、載置面１２０ａに対して折曲角に応じた角度（例えば９０°）で設けられている。
【００２７】
形状規定部１２０は、ダイ型ベース部１１０に一体形成された形状規定部支持部１３０の上に固設されている。形状規定部１２０を支持する形状規定部支持部１３０は、ダイ型ベース部１１０上にダイ型ベース部１１０より小さい面積で形成されており、ダイ型ベース部１１０上であって、形状規定部支持部１３０に隣接する領域（図示右側領域）に、パンチ部９２の一部が入り込むパンチ型受け空間部１４０が形成されている。このパンチ型受け空間部１４０には、金属材８０の折曲部８０ｂの一部も入り込む。
【００２８】
本実施形態では、形状規定部１２０の形状規定面１２０ｂが、形状規定部支持部１３０のパンチ型受け空間部１４０側の端面１３０ａより突出している。さらに、形状規定部１２０の形状規定面１２０ｂの下方（パンチ型受け空間部１４０側）に位置する角部が、切欠され面取りされている。この角部が切欠された部分を切欠部１２０ｃと称す。
【００２９】
図４（ａ）、（ｂ）に示す如く、成型は、ダイ型１００の載置面１２０ａに金属材８０を載置した状態で、パンチ型９０を降下させ、パンチ部９２により金属材８０の被折曲部８０ａを押圧することで、実施される。金属材８０の被折曲部８０ａは、ダイ型１００の形状規定面１２０ｂに当接するまで折曲され、所定形状の折曲部８０ｂとなる。
【００３０】
本実施形態では、金属材８０が載置される載置面１２０ａと金属材８０の折曲形状を規定する形状規定面１２０ｂとを有する形状規定部１２０を支持する形状規定部支持部１３０を設け、この形状規定部支持部１３０に隣接してパンチ型受け空間部１４０を設ける構成とした点、及び形状規定部１２０の形状規定面１２０ｂを、形状規定部支持部１３０のパンチ型受け空間部１４０側の端面１３０ａより突出させる構成とした点が特徴的である。
【００３１】
かかる構成のディスクカートリッジ用金型３では、形状規定部支持部１３０のパンチ型受け空間部１４０側の端面１３０ａが形状規定面１２０ｂより奥まっているので、折曲後の金属材８０と形状規定部支持部１３０の端面１３０ａとの間には空隙１５０が存在する。
【００３２】
したがって、パンチ型９０により金属材８０が過度に押圧された際には、図４（ｂ）に示す如く、金属材８０の先端部がこの空隙１５０内に退避することができ、金属材８０にかかる応力が緩和され、折曲加工する金属材８０の傷付きや表面剥がれを抑制することができる。特に、コーティング処理や酸化処理（例えばアルマイト処理）等の表面処理が施された金属材８０を用いる場合に、表面処理層の傷付きや剥がれの抑制効果が顕著に発現する。
【００３３】
また、本実施形態では、形状規定部１２０に切欠部１２０ｃを設け、形状規定部１２０のパンチ型受け空間部１４０側の角部を切欠する構成としているので、金属材８０の退避場として機能する上記空隙１５０をより大きく確保でき、好ましい。さらに、形状規定部１２０のパンチ型受け空間部１４０側の角部が面取りされているので、金属材８０が空隙１５０内に退避した際に、角部の存在によって金属材８０の表面が傷付くことを防止する効果も得られる。
【００３４】
なお、金属材８０は、形状規定面１２０ｂにより規定される形状を大きく逸脱しない範囲内で、空隙１５０内に退避する。したがって、空隙１５０の存在によって、所望の折曲形状が得られなくなるという恐れはない。
【００３５】
以上説明したように、本実施形態によれば、金属材８０の傷付きや表面剥がれが抑制されるので、成型により得られるシェル半体１１、１２及び／又はロータリーシャッタ３１、３２は美観や性能が良好なものとなる。また、削粉の発生が抑制されるので、削粉がディスクカートリッジ１内に混入し、記録再生等に影響を及ぼすことを抑制でき、高品質なディスクカートリッジ１を安定的に提供することができる。
【００３６】
なお、本実施形態は一例にすぎず、本発明の趣旨を逸脱しない範囲内において適宜設計変更可能である。例えば、形状規定部支持部１３０をダイ型ベース部１１０と一体形成し、これに別材の形状規定部１２０を固設する構成としたが、形状規定部１２０をダイ型ベース部１１０及び形状規定部支持部１３０と一体形成してもよい。
【００３７】
また、本実施形態では、磁気ディスクカートリッジ用の金型についてのみ説明したが、本発明は、磁気記録媒体に限らず、任意の記録媒体を用いるディスクカートリッジ用の金型に適用可能である。
【産業上の利用可能性】
【００３８】
本発明は、デジタルカメラ等の携帯電子機器に使用される磁気記録再生カートリッジのシェル半体及び／又はロータリーシャッタの成型用金型等に好ましく適用することができる。
【図面の簡単な説明】
【００３９】
【図１】ディスクカートリッジの一例を示す分解斜視図である。
【図２】図１のディスクカートリッジの上面図、右側面図、及び底面図である。
【図３】図１のディスクカートリッジの下側ロータリーシャッタ／ばね部材／フレームの拡大平面図である。
【図４】本発明に係る一実施形態のディスクカートリッジ用金型、及びこれを用いた成型方法を示す図である。
【図５】従来のディスクカートリッジ用金型、及びこれを用いた成型方法を示す図である。
【符号の説明】
【００４０】
１  磁気ディスクカートリッジ（ディスクカートリッジ）
１１、１２  シェル半体
１１ｈ、１２ｈ  ヘッドアクセス用開口部
１１ｗ、１２ｗ  折曲部
３１、３２  ロータリーシャッタ
３１ｗ、３２ｗ  折曲部
５０  磁気記録媒体（記録媒体）
３  ディスクカートリッジ用金型
８０  金属材
８０ａ  被折曲部
８０ｂ  折曲部
９０  パンチ型
１００  ダイ型
１２０  形状規定部
１２０ａ  載置面
１２０ｂ  形状規定面
１３０  形状規定部支持部
１３０ａ  形状規定部支持部のパンチ型受け空間部側の端面
１４０  パンチ型受け空間部
１５０  空隙
【図１】
2006130525.tif 000003
【図２】
2006130525.tif 000004
【図３】
2006130525.tif 000005
【図４】
2006130525.tif 000006
【図５】
2006130525.tif 000007